(57)【要約】【課題】  優れた断熱性を備える簡易建物を、組立容易に、且つ低コストで提供すること。【解決手段】  柱１と、根太掛け２とを備え、柱は、金属製の柱本体３と、屋内側部材４を屋外側部材５に対して断熱した補助材６とで構成してあり、根太掛け２は柱本体３の屋内側に配置して柱本体に固定してあり、補助材６は根太掛け２よりも上方に配置して柱本体３の室内側に固定してあることを特徴とする。【選択図】      図１
2006037570.tif 000002
【特許請求の範囲】
【請求項１】
柱と、根太掛けとを備え、柱は、金属製の柱本体と、屋内側部材を屋外側部材に対して断熱した補助材とで構成してあり、根太掛けは柱本体の屋内側に配置して柱本体に固定してあり、補助材は根太掛けよりも上方に配置して柱本体の室内側に固定してあることを特徴とする簡易建物。
【発明の詳細な説明】
【技術分野】
【０００１】
本発明は、断熱性を向上させた簡易建物に関する。
【背景技術】
【０００２】
組立式の簡易建物においては、通常アルミニウム合金やスチール等の金属製の柱が使用される。金属製の柱は木製の柱に比べて熱を伝え易く、柱の屋外側と床より下の部分は屋外に露出しているから、この部分が外気温や太陽光線、地面の熱などによって熱せられると、その熱が柱の室内側面に伝わり、この柱の熱で室内の気温が上昇する。そのため特許文献１に記載された簡易建物では、スチール製の柱に熱伝導のよくない取付体を取付け、その取付体に内装材を固定することで、柱から室内に屋外の熱が伝わり難くしている。さらに、床下から柱の下部を伝わって熱が室内に侵入するのを防止するため、基礎及び土間を断熱層で被っている。
【特許文献１】特開平１０−４６６９７号公報
【発明の開示】
【発明が解決しようとする課題】
【０００３】
上述のように、柱一本ごとに取付体を製作して内装材と柱の間に介在させるのは、簡易建物の組立作業を煩雑にする。また、基礎や土間を断熱層で被うには、多くの手間と費用がかかる。本発明はこうした実情に鑑み、優れた断熱性を備える簡易建物を、組立容易に、且つ低コストで提供することを目的とする。
【課題を解決するための手段】
【０００４】
上記の課題を達成するために本発明の簡易建物は、柱と、根太掛けとを備え、柱は、金属製の柱本体と、屋内側部材を屋外側部材に対して断熱した補助材とで構成してあり、根太掛けは柱本体の屋内側に配置して柱本体に固定してあり、補助材は根太掛けよりも上方に配置して柱本体の室内側に固定してあることを特徴とする。
【発明の効果】
【０００５】
本発明の簡易建物は、柱が、金属製の柱本体と、屋内側部材を屋外側部材に対して断熱した補助材とで構成してあり、補助材を根太掛けよりも上方に配置して柱本体の室内側に固定してあるので、柱本体の屋外に露出している部分が外気温等によって熱せられたとしても、柱本体から室内への熱の伝達が補助材によって遮断されるので、柱から屋外の熱が室内に伝達するのを確実に防いで簡易建物に優れた断熱性を持たせることが可能となる。また本発明の簡易建物は、根太掛けを柱本体の屋内側に配置して柱本体に固定すると共に、根太掛けよりも上方の柱本体の室内側に補助材を取付けるだけで、簡単に柱の室内側を屋外の熱から断熱することができ、柱の根太掛けより下の部分や基礎部分の断熱が不要なので、低コストである。
【発明を実施するための最良の形態】
【０００６】
以下、本発明の実施の形態を図面に基づいて説明する。図１から図５は本発明の簡易建物の一実施形態を示している。この簡易建物は、既存の木造家屋の室内空間を簡易なリフォームにより屋外側に広げる場合に用いられるもので、図１から図３に示すように、前壁部７と、左右の側壁部８，８と、屋根部９と、床部１０とを有し、既存の建物の壁１１に開口部１２を設けて、その開口部１２を塞ぐように壁１１から屋外側にせり出すような形で設置され、既存の建物の室内と連続した室内空間１３を形成する。
【０００７】
前壁部７は、左右の端部にコーナー柱１４を有し、コーナー柱１４の間に２本の方立１を配設してあり、コーナー柱１４及び方立１の上端部に桁材１５を架設し、コーナー柱１４及び方立１の下部間に下枠材１６をそれぞれ架設し、コーナー柱１４と方立１と桁材１５と下枠材１６とで形成される枠内に断熱パネル１７を取付けて構成してある。方立１は、図２と図４に示すように、アルミニウム合金の押出形材よりなる矩形中空断面の柱本体３が屋外側に配置され、柱本体３の室内側に補助材６を取付けて構成してある。補助材６は、それぞれアルミニウム合金の押出形材よりなる屋外側部材５と屋内側部材４とを樹脂製の断熱材１８で繋いであって、屋内側部材４を屋外側部材５に対して断熱してある。また補助材６は、後述するように、床部１０を支えている根太掛け２よりも上方にだけ設けてある。補助材の屋外側部材５は断面略コ字状に形成され、内周側の先端部に係止突起１９を設けてあり、柱本体３の室内側に嵌め込み、側方からのビス２０で柱本体３に固定してある。屋内側部材４は、断熱パネル１７の屋内側面に当接する当接片２１を左右両側に突出して設けてある。断熱パネル１７は、側縁部を屋内側部材の当接片２１と、柱本体３の側面に取付けた押縁２２とで挟持している。コーナー柱１４もアルミニウム合金の押出形材よりなり、図２に示すように、室内側のコーナー部に凹部２３を設けてあり、該凹部に断面Ｌ形の樹脂製スペーサー２４を挟んで室内側コーナー材２５を取付けてあり、室内側コーナー材に突設した当接片２１が、前壁部７と側壁部８の断熱パネル１７を室内側から支えている。方立１とコーナー柱１４は、下端部を基礎２６に固定している。
【０００８】
下枠材１６は、図１に示すように、屋内側の上部に根太掛け２を引っ掛けるための係止片２７を柱本体３の屋内側に突出して設けてあり、該係止片２７に係止して根太掛け２を柱本体３の屋内側面に当接して渡し、ビス２８で根太掛け２を柱本体３に固定してある。この根太掛け２に対向するようにして、既存の建物の躯体２９にも根太掛け３０を取付けてあり、この２本の根太掛け２，３０間に、複数本の根太３１が間隔をおいて架設してある。根太３１の上には、既存の建物の床から連続する床下地材３２と床材３３を載置している。根太３１同士の間と、根太３１と左右の下枠１６の間には、断熱材３４を設置してある。前述の方立１の補助材６は、図１に示すように、根太掛け２の上方から桁材１５の間の部分にだけ取付けてある。コーナー柱１４の室内側コーナー材２５も、根太掛け２よりも上の部分だけに設けている。
【０００９】
側壁部８は、既存の建物の躯体２９に固定して設けた躯体方立３５と、コーナー柱１４と、下枠材１６と、屋根の側枠３６とで形成した枠内に断熱パネル１７を取付けて構成してある。躯体方立３５も、図２に示すように、柱本体３７と、柱本体の室内側に取付ける補助材３８とに分割して構成してある。補助材３８は、屋外側部材と屋内側部材を樹脂製の断熱材３９で繋いだものとなっており、屋内側部材には、既存の建物の内装パネル４０の室内側に当接する当接片２１と、側壁部８の断熱パネル１７の室内側に当接する当接片２１とを有している。
【００１０】
屋根部９は、既存の建物の躯体に垂木掛け４１を固定して設け、垂木掛け４１と桁材１５の間に垂木４２と側枠３６を架設し、垂木掛け４１と桁材１５と垂木４２と側枠３６とで形成される各開口部に屋根パネル４３を取付けて構成してある。屋根パネル４３には、断熱性に優れた複層ガラスパネルを使用している。垂木掛け４１は、図１に示すように、屋外側部材４１ａと屋内側部材４１ｂを樹脂製の断熱材４４で繋いだものとなっている。桁材１５は、屋外側部材１５ａと屋内側部材１５ｂとに分割して形成し、樹脂製のライナー４５を挟んでビス４６で一体に結合している。垂木４２も、図５に示すように、屋外側部材４２ａと屋内側部材４２ｂを樹脂製の断熱材４７で繋いだものとなっており、屋外側部材４２ａに屋根パネル４３を押えるパネル押え４８をビス止めしている。桁材１５の屋外側面には、雨樋４９をビスで取付けてある。
【００１１】
次に、本簡易建物の施工手順を簡単に述べる。まず、既存の建物の壁１１に開口部１２を形成し、開口部１２の周りの躯体２９に、垂木掛け４１と躯体方立３５，３５と根太掛け３０を枠状にしてコーチねじ５０で固定しておく。コーナー柱１４と方立１は、下端部を基礎２６に固定して地面の所定の位置に立たせ、コーナー柱１４と方立１に桁材１５と下枠材１６と根太掛け３０を架設する。その後、根太掛け２，３０間に根太３１を架設し、桁材１５と垂木掛け４１間に屋根の垂木４２と側枠３６を架設すれば簡易建物の骨組が完成し、後は断熱パネル１７を前壁部７と側壁部８の各開口部に屋外側から嵌め込んで押縁２２で固定し、屋根部９の各開口部に屋根パネル４３を載置してパネル押え４８で固定し、根太３１に床下地材３２と床材３３を載置する。
【００１２】
以上のように構成した本簡易建物は、方立１とコーナー柱１４で荷重を支えるので、屋外への出幅を大きくすることができ、室内空間１３を屋外側に大きく広げることができる。広がった室内空間１３は、例えばキッチンであれば流し台を置くなど自由に活用できる。また本簡易建物は、優れた断熱性を有している。まず方立１に関していえば、アルミ製の柱本体３の根太掛け２よりも上方の室内側に、屋内側部材４を屋外側部材５に対して断熱した補助材６を取付けてあるので、柱本体３の屋外側部分と床下部分が外気温や太陽光線で熱せられて熱くなっても、補助材６の断熱材１８が室内側への熱の伝達を遮断し、室内空間１３に面した屋内側部材４が熱くならない。同じように、アルミニウム合金の押出形材を使用している他の構造材、すなわちコーナー柱１４、躯体方立３５、桁材１５、垂木掛け４１、垂木４２も、それぞれ間に樹脂を介在させて屋内側を屋外側に対して断熱してあり、これらの構造材から屋外の熱が室内側に伝わるのを防いでいる。さらに本簡易建物では、前壁部７と側壁部８に断熱パネル１７を取付け、床下には断熱材３４を設置してあり、屋根部９には断熱性に優れた複層ガラスを用いた屋根パネル４３を取付けてあるので、建物の室内側全体が屋外側から断熱され、冷房・暖房の効率アップ、結露の防止といった効果がある。また本簡易建物は、適宜長さに切断した柱等の各構造材をビス等により連結して骨組みを組立て、骨組みの各開口部にパネルを押縁で取付けることで簡単に断熱構造の建物を構築でき、発泡樹脂を躯体や壁に吹き付けて断熱層を形成するといった現場作業を必要としない。
【００１３】
本発明の簡易建物は、以上に述べた実施形態に限定されない。柱本体の室内側に固定する補助材は、屋内側部材を屋外側部材に対して断熱したものであればよく、実施形態のようにアルミ製の屋内側部材と屋外側部材を樹脂材で繋いで一体にしたものに限らず、アルミ製の屋外側部材と樹脂製の屋内側部材を繋いで一体にしたものであってもよい。また本発明の簡易建物は、実施形態のように、既存の建物と合体するものばかりでなく、独立した建物であってもよく、建物の用途についても、例えば離れや物置、温室など、任意である。
【図面の簡単な説明】
【００１４】
【図１】図３におけるＡ−Ａ断面図である。
【図２】図３におけるＢ−Ｂ断面図である。
【図３】（ａ）は、本発明の簡易建物の一実施形態を示す正面図であり、（ｂ）は、同側面図である。
【図４】方立とその周辺部を拡大して示す断面図である。
【図５】垂木とその周辺部を拡大して示す断面図である。
【符号の説明】
【００１５】
１  方立（柱）
２  根太掛け
３  柱本体
４  屋内側部材
５  屋外側部材
６  補助材
【図１】
2006037570.tif 000003
【図２】
2006037570.tif 000004
【図３】
2006037570.tif 000005
【図４】
2006037570.tif 000006
【図５】
2006037570.tif 000007